(57)【特許請求の範囲】
【請求項１】
イ）垂直方形状の後板２１と、該後板２１の上端辺から前向きに水平方向に突設される上板２２ａと該上板２２ａ前端より垂直方向の下向き板２２ｂとで形成された上側部材２２と、前記後板２１の下端辺から前向き水平方向に突設される下板２３ａと該下板２３ａ前端より垂直方向の上向き板２３ｂとで形成された下側部材２３とを有し、前記下向き板２２ｂ下縁と前記上向き板２３ｂ上縁との間に略鼓縦断面状空間部が形成されているハウジング２と、ロ）垂直方形状の前板３１と、該前板３１の上端辺から後向き水平方向に突設される方形状上板３２と、前記前板３１の下端辺から後向き水平方向に突設される方形状下板３３と、前記前板３１の左右中央部に僅かに突設された前面平坦な突起部３４とを有し、該突起部３４上縁及び下縁とで略鼓縦断面状に形成されている弾性材のインナーカバー３とを備え、ハ）前記上板３２及び下板３３を上下方向に加圧し前記前板３１及び突起部３４を後側に湾曲せしめて前記インナーカバー３を前記ハウジング２側面側より圧入し前記ハウジング２の空間部に前記突起部３４上縁及び下縁を嵌着せしめたことを特徴とするスライドラッチ用ストライク。
【請求項２】
左側より右側に向かって、ハウジング２の下向き板２２ｂ下縁が右下がり勾配部２２ｃ、平坦部２２ｄ及び右上がり勾配部２２ｅによって逆台形凸状に形成され、上向き板２３ｂ上縁が右上がり勾配部２３ｃ、平坦部２３ｃ及び右下がり勾配部２３ｅによって台形凸状に形成され、インナーカバー３の突起部３４上縁が右下がり勾配部３４ａ、平坦部３４ｂ及び右上がり勾配部３４ｃによって逆台形凹状に形成され、前記突起部３４下縁が右上がり勾配部３４ｄ、平坦部３４ｅ及び右下がり勾配部３４ｆによって台形凹状に形成されていることを特徴とする請求項１に記載のスライドラッチ用ストライク。
【請求項３】
下向き板２２ｂの勾配部２２ｃと勾配部２３ｃとのなす角度と、勾配部２２ｅと勾配部２３ｅとのなす角度とが同値にとられていることを特徴とする請求項２に記載のスライドラッチ用ストライク。
【請求項４】
ハウジング２の後板２１な左右幅が上板２２ａ及び下板２３ａの左右幅より狭くとられ、該後板２１は該上板２２ａ及び下板２３ａの左右一方側に寄せて固着されていることを特徴とする請求項１〜３に記載のスライドラッチ用ストライク。
【請求項５】
インナーカバー３の上板３２の後端縁に小突起３２ａ及び下板３３の後端縁に小突起３３ａが突設され、ハウジング２の後板２１隅部に該小突起３２ａ及び３３ａに対応して挿着可能な止め孔２１ｃが穿設されていることを特徴とする請求項１〜４に記載のスライドラッチ用ストライク。
【請求項６】
インナーカバー３の下板３３の隅部が切欠かれたことを特徴とする請求項１〜５に記載のスライドラッチ用ストライク。
【発明の詳細な説明】
【０００１】
【発明の属する技術分野】
本発明は、扉の錠のスライドラッチに用いられるストライクの改良に関する。
【０００２】
【従来の技術】
従来のスライドラッチは、使い勝手が容易且つ確実であり多用されている。（例えば実公平４−４１２３１号公報記載）
このスライドラッチによる施錠時においては、開閉する扉端部に固着されているスライドラッチのラッチ片が扉端部と隣合う扉回り枠体側に移動し、扉回り枠体に固着されたラッチと係合させるが、ここで用いられるラッチはラッチ片が出入り可能な開口部を有する略Ｌ型や箱型をした簡易な構造のものである。
【０００３】
【発明が解決しようとする課題】
従来のラッチは簡易な構造ではあるが、外観は美観上からは好ましくなく、固着部が解放状態であり手を入れて悪戯され易く、ラッチ片とラッチとが係合するとき又は係合中にカタカタと接触音が発生し不快感をもたら等の課題があった。本発明は、施工現場で簡易に組立て可能で、外観が好ましい美観を呈し、外から固着部に手をいれて悪戯され難く、ラッチ片とラッチとが係合するとき又は係合中に不快な音の発生することのないスライドラッチ用ストライクを得ることを目的とする。
【０００４】
【課題を解決するための手段】
この目的を達成するために、
請求項１の発明にあっては、イ）垂直方形状の後板２１と、該後板２１の上端辺から前向きに水平方向に突設される上板２２ａと該上板２２ａ前端より垂直方向の下向き板２２ｂとで形成された上側部材２２と、前記後板２１の下端辺から前向き水平方向に突設される下板２３ａと該下板２３ａ前端より垂直方向の上向き板２３ｂとで形成された下側部材２３とを有し、前記下向き板２２ｂ下縁と前記上向き板２３ｂ上縁との間に略鼓縦断面状空間部が形成されているハウジング２と、ロ）垂直方形状の前板３１と、該前板３１の上端辺から後向き水平方向に突設される方形状上板３２と、前記前板３１の下端辺から後向き水平方向に突設される方形状下板３３と、前記前板３１の左右中央部に僅かに突設された前面平坦な突起部３４とを有し、該突起部３４上縁及び下縁とで略鼓縦断面状に形成されている弾性材のインナーカバー３とを備え、ハ）前記上板３２及び下板３３を上下方向に加圧し前記前板３１及び突起部３４を後側に湾曲せしめて前記インナーカバー３を前記ハウジング２側面側より圧入し前記ハウジング２の空間部に前記突起部３４上縁及び下縁を嵌着せしめたスライドラッチ用ストライクにより解決した。
請求項２の発明にあっては、左側より右側に向かって、ハウジング２の下向き板２２ｂ下縁が右下がり勾配部２２ｃ、平坦部２２ｄ及び右上がり勾配部２２ｅによって逆台形凸状に形成され、上向き板２３ｂ上縁が右上がり勾配部２３ｃ、平坦部２３ｃ及び右下がり勾配部２３ｅによって台形凸状に形成され、インナーカバー３の突起部３４上縁が右下がり勾配部３４ａ、平坦部３４ｂ及び右上がり勾配部３４ｃによって逆台形凹状に形成され、前記突起部３４下縁が右上がり勾配部３４ｄ、平坦部３４ｅ及び右下がり勾配部３４ｆによって台形凹状に形成されている請求項１に記載のスライドラッチ用ストライクとすることができる。
請求項３の発明にあっては、下向き板２２ｂの勾配部２２ｃと勾配部２３ｃとのなす角度と、勾配部２２ｅと勾配部２３ｅとのなす角度とが同値にとられている請求項２に記載のスライドラッチ用ストライクとするのが好ましい。
請求項４の発明にあっては、ハウジング２の後板２１な左右幅が上板２２ａ及び下板２３ａの左右幅より狭くとられ、該後板２１は該上板２２ａ及び下板２３ａの左右一方側に寄せて固着されている請求項１〜３に記載のスライドラッチ用ストライクとすることができる。
請求項５の発明にあっては、インナーカバー３の上板３２の後端縁に小突起３２ａ及び下板３３の後端縁に小突起３３ａが突設され、ハウジング２の後板２１隅部に該小突起３２ａ及び３３ａに対応して挿着可能な止め孔２１ｃが穿設されている請求項１〜４に記載のスライドラッチ用ストライクとするのが好ましい。
請求項６の発明にあっては、インナーカバー３の下板３３の隅部が切欠かれた請求項１〜５に記載のスライドラッチ用ストライクとするのが好ましい。
【０００５】
【発明の実施の形態】
本発明の実施の形態を図面に基づき以下詳細に説明する。
図１は、本発明のストライクの一例の分解斜視図である。
図２は、図１のストライクを構成するインナーカバーを示す各図である。
図３は、図１のストライクを構成するハウジングを示す各図である。
図４は、図１乃至３のストライクとスライドラッチとの関係を示す斜視図である。
各構成要素の位置関係の説明は、ストライクとしての使用状態で行い、スライドラッチを作動させる側を前又は内側、開閉表示板側を後又は外側として説明する。
【０００６】
本発明の一例のストライク１は、ハウジング２と、インナーカバー３と、ライナー４と、固着具５とを有している。ここで、ライナー４は選択的構成である。
ハウジング２は、鉄、アルミ、真鍮等の金属又は硬質プラスチック製で、垂直方向方形状の後板２１と、後板２１の上端辺から前向き水平方向に突設される上板２２ａと垂直方向の下向き板２２ｂとで側面視略逆Ｌ字形に形成された上側部材２２と、後板２１の下端辺から前向き水平方向に突設される下板２３ａと垂直方向の上向き板２３ｂとで側面視略Ｌ字形に形成された下側部材２３とを有している。下向き板２２ｂの下縁は、左側より右側に向かって右下がり勾配部２２ｃ、平坦部２２ｄ及び右上がり勾配部２２ｅによって逆台形凸状に形成され、上向き板２３ｂの上縁は、左側より右側に向かって、右上がり勾配部２３ｃ、平坦部２３ｄ及び右下がり勾配部２３ｅによって台形凸状に形成され、逆台形状の下向き板２２ｂの下縁と台形状の上向き板２３ｂの上縁とは向合って間に略鼓縦断面状の空間部が形成されている。ここで、勾配部２２ｃ及び２３ｃと、勾配部２２ｅ及び２３ｅはそれぞれ角度αにとられ、角度αは通常６０度前後にとるのが好ましく、又左右対称形にとるのが左右両使い勝手に対応可能で好ましいが、必須要件ではない。又上板２２ａ、後板２１及び下板２３ａにより左右につながった開口部が形成され、該開口部は左右幅Ｗ、奥行き内寸Ｄ、上下間隔内寸Ｈにとられている。ここで本例では、後板２１は左右幅が通常前記左右幅Ｗより短くとられ、上板２２ａ及び下板２３ａの一方端（本例では左端）に寄せて固着され他方側（右側）に空隙を有する構成とされているが、これはハウジング２を扉回り枠体に固着す際に枠体側の構成材の取合い上の便宜のためであり、必須要件ではない。ここで、下向き板２２ｂ及び上向き板２３ｂは厚さｔにとられている。
後板２１上下略中央部の左右離隔位置に後述する固着具５が挿着可能な通常一対の取付け孔２１ａが穿設され、左右中央部の上下離隔位置に後述するライナー４の小突起４ｂが挿着可能な通常一対の止め孔２１ｂが穿設され、好ましい構成として四隅部に後述するインナーカバー３の小突起３２ａ、３３ａが挿着可能な通常四個の止め孔２１ｃがそれぞれ穿設されている。
【０００７】
インナーカバー３は、柔軟な弾性材で指先による加圧によって容易に変形し加圧を解くと元に復元可能なプラスチック、例えば、ポリウレタン、ナイロン、軟質塩化ビニル等製で、垂直方向方形状の前板３１と、前板３１の上端辺から後向き水平方向に突設される方形状の上板３２と、前板３１の下端辺から後向き水平方向に突設される方形状の下板３３と、前板３１の左右中央部に沿って前面平坦な突起部３４が僅かに突設され、上板３２と前板３１と下板３３とで側面視略逆コ字形の空間部が形成されている。突起部３４は、上縁が左側より右側に向かって右下がり勾配部３４ａ、平坦部３４ｂ及び右上がり勾配部３４ｃによって逆台形凹状に形成され、下縁が左側より右側に向かって右上がり勾配部３４ｄ、平坦部３４ｅ及び右下がり勾配部３４ｆによって台形凹状に形成され、逆台形凹状の上縁と台形凹状の下縁とで略鼓縦断面状にとられている。勾配部３４ａ及び３４ｄと、勾配部３４ｃ及び３４ｆはそれぞれ角度αにとられているが、角度αは通常６０度前後にとるのが好ましく、左右対称形にとるのが左右両使い勝手に対応可能で好ましいが、必須条件ではないものの、前記ハウジング２と合わせる必要がある。ここで、上板３２、前板３１及び下板３３によって囲まれて形成される側面視略逆コ字形開口部は左右幅ｗ、奥行き外寸ｄ、上下間隔外寸ｈにとられ、それぞれ僅差ではあるがｗ＜Ｗ、ｄ＜Ｄ、ｈ＜Ｈの寸法となるように設定されている。上板３２の後端縁の離隔位置に通常２か所の小突起３２ａ及び下板３３の後端縁の離隔位置に通常２か所の小突起３３ａを突設するのがインナーカバー２との固着を強固とするのには好ましい。下板３３は、方形状でなく隅部が例えば二点鎖線で示す傾斜線３３ｂに沿って一部が切欠かれた形状とするのが、ハウジング２へのインナーカバー３の組付け後下板３３の変形による剥離防止からは好ましい。ここで、通常突起部３４は前板３１の前面より厚さｔだけ突設され、ハウジング２へのインナーカバー３の組付け時において突起部３４と下向き板２２ｂ及び上向き板２３ｂが略面一となるようにされている。
又前記したハウジング２の上向き板２３ｂ上縁と下向き板２２ｂ下縁の空間部の形状、及びインナーカバー３の突起部３４上縁及び下縁の形状は必ずしも厳密に勾配部及び平坦部だけでなく、中間に緩やかな曲線部分をおいてつなげ略鼓縦断面状に形成してもよい。
ライナー４は、金属又は硬質プラスチック製板材で、方形状の後板２１の外寸に近似した大きさの方形状にとられ、後板２１の取付け孔２１ａに芯を合わせた一対の取付け孔４ａと、止め孔２１ｂに挿着可能な一対の小突起４ｂとがそれぞれ設けられ、ストライク１を取付ける扉回り枠体の条件によって選択的に用いられる。
固着具５は、後板２１の通常一対の取付け孔２１ａ又はライナー４を用いる場合は一対の取付け孔４ａをも通して挿着可能で、ハウジング２を扉回り枠体に固着するための木ねじ、ボルト等である。
【０００８】
本発明のストライク１に係合して用いるスライドラッチには各種のものがあるが、一例とし図４に示すスライドラッチ６は、前記した例えば実公平４−４１２３１号公報記載のものと同様である。スライドラッチ６は、左右長手棒状のラッチ片６１と、開閉する扉内面端部に固着され左右長手の内側取付片６２と、内側取付片６２と向合って平行におかれ扉外面端部に固着される左右長手の外側取付片６３と、外側取付片６３を被覆するカバー片６４と、内側取付片６２と外側取付片６３とを連結し扉を貫通して固着する一対のねじ部材６５と、各ねじ部材６５の左右中間に渡る一個の回動軸６６とを有している。ラッチ片６１の断面形状は通常略方形状で、係合するストライク１のインナーカバー３の上板３２、前板３１及び下板３３に囲まれて形成される側面視略逆コ字形の空間部より小寸にとられ、施工現場における扉、扉回り枠体や取付け位置が変動しても対応可能なようにしている。
又図４（ａ）の解錠時から図４（ｂ）の施錠時に示すように矢印Ｙ方向又はＸ方向へラッチ片６１を移動してストライク１との係合、離脱脱を行うが、図示省略するがラッチ片６１の移動に連動するラッチ片６１に内蔵されたラックと噛合う回動軸６６に固着されたピニオンによって回動軸６６が回動し外側取付片６３の外側開口から目視可能な開閉表示板によってスライドラッチ６の施解錠確認可能とされている。
【０００９】
次に、ストライク１及びスライドラッチ６の組立てを説明する。
通常施工現場において、扉端部に一対のねじ部材６５と一個の回動軸６６の扉を貫通する対応位置に丸孔を穿設し、扉端部内面の内側取付片６２と向合って扉端部外面に外側取付片６３を固着し、スライドラッチ６を先ず組立てる。
次いで、ストライク１を組立てるが、スライドラッチ６のラッチ片６１を矢印Ｙ方向に移動させたとき、図４（ｂ）に示す様に、ラッチ片６１の左端部がストライク１のインナーカバー３の上板３２、前板３１及び下板３３に囲まれた側面視略逆コ字形の空間部で後板２１が左端に寄せられ右側に空隙のある部分に挿着可能な位置を選定して組立てる。
スライドラッチ６が固着された扉の閉鎖時に、扉端部と隣合う扉回り枠体の前記ラッチ片６１挿着可能位置に上板２２ａ及び下板２３ａの向合う面を水平方向となるようにし、下向き板２２ｂの下縁と台形状の上向き板２３ｂの上縁間に形成された空間部から固着具５をハウジング２の後板２１の取付け孔２１ａに挿着し、ハウジング２を扉回り枠体の内側面に固着する。後板２１を直接扉回り枠体に固着せずライナー４を介して固着する場合は、取付け孔２１ａ及び４ｂを合わせ固着具５を挿着して扉回り枠体の内側面に固着する。
インナーカバー３をハウジング２に組立てるには、図１、図２（ａ）に示すように、上板３２を下方矢印Ｐ方向に、下板３３を上方矢印Ｑ方向に指先で同時に加圧すると前板３１は柔軟性を有するため後側矢印Ｒ方向に湾曲し突起部３４の位置が後側に僅かにずれ、上板３２と下板３３の間隔外寸ｈは僅かに短縮し、そのまま扉回り枠体に固着されているハウジング２の左側面側より上板２２ａ、後板２１及び下板２３ａにより形成された開口部に対し矢印Ｘ方向に容易に圧入することができ、該開口部の左右幅一杯に押込み終わるとインナーカバー３は弾力に富んでおり元の形状に復元しハウジング２に固定される。ここでインナーカバー３の前外側にある突起部３４のうち逆台形凹状の上縁はハウジング２の逆台形状の下向き板２２ｂの下縁と嵌着し、突起部３４のうち台形凹状の下縁はハウジング２の台形状の上向き板２３ｂの上縁と嵌着し、さらに小突起３２ａ、３３ａがそれぞれ止め孔２１ｃに嵌着し、インナーカバー３がハウジング２に確実に不動状態に固定され、インナーカバー３とハウジング２の前面は略面一状態におかれる。このとき突起部３４によって、ハウジング２の前側にある逆台形状の下向き板２２ｂの下縁と台形状の上向き板２３ｂの上縁によって向合って形成された略鼓縦断面状の空間部が塞がれ、インナーカバー３の上板３２、前板３１及び下板３３によってハウジング２の内面が被覆された状態におかれる。上述のインナーカバー３のハウジング２への組立は、インナーカバー３の柔軟性と弾性を利用して指先の単純な動作で容易に可能である。
【００１０】
組立て完了後のスライドラッチ６とストライク１との相関関係は、図４（ａ）に示す扉の解錠時には、ラッチ片６１がストライク１から離隔位置にあり、扉の解錠時から図４（ｂ）に示す扉の施錠時には、ラッチ片６１を矢印Ｙ方向に移動し、扉の施錠時から解錠への復帰は矢印Ｘ方向に移動してラッチ片６１とストライク１との係合、離脱を行う。このときラッチ片６１の移動に連動する回動軸６６を介して外側取付片６３の外側開口から目視可能な開閉表示板によって扉の施解錠状態が扉外側より目視可能である。
ストライク１は前記した通りラッチ片６１と接するハウジング２内面が柔軟性と弾性を有するインナーカバー３によって被覆されているので、ラッチ片６１とストライク１とが係合するとき又は係合中に不快な音の発生することはない。突起部３４によってハウジング２の空間部を塞がれており、外から固着部に手をいれて悪戯されることはない。又ストライク１全体の好ましい美観を呈している。
【００１１】
【発明の効果】
本発明のスライドラッチ用ストライクによれば、施工現場で簡易に組立て可能で、外観が好ましい美観を呈し、外から固着部に手をいれて悪戯されることがなく、ラッチ片とストライクとが係合するとき又は係合中に不快な音の発生することがない。
【図面の簡単な説明】
【図１】本発明のストライクの一例の分解斜視図である。
【図２】図１のストライクを構成するインナーカバーを示し、（ａ）側面図、（ｂ）正面図、（ｃ）裏面図である。
【図３】図１のストライクを構成するハウジングを示し、（ａ）側面図、（ｂ）正面図、（ｃ）裏面図、（ｄ）Ａ・Ａ′断面図である。
【図４】図１乃至３のストライクとスライドラッチとの関係を示す斜視図で、（ａ）解錠時、（ｂ）施錠時である。
【符号の説明】
１  ストライク
２  ハウジング
２１  後板
２１ａ、４ａ  取付け孔
２１ｂ、２１ｃ  止め孔
２２  上側部材
２２ａ、３２  上板
２２ｂ  下向き板
２２ｃ、２２ｅ、２３ｃ、２３ｅ、３４ａ、３４ｃ、３４ｄ、３４ｆ  勾配部
２２ｄ、２３ｄ、３４ｂ、３４ｅ  平坦部
２３  下側部材
２３ａ、３３  下板
２３ｂ  上向き板
３  インナーカバー
３１  前板
３２ａ、３３ａ、４ｂ  小突起
３３ｂ  傾斜線
３４  突起部
４  ライナー
５  固着具
６  スライドラッチ
６１  ラッチ片
６２  内側取付片
６３  外側取付片
６４  カバー片
６５  ねじ部材
６６  回転軸
α  角度
【図１】
0003755065.tif 000002
【図２】
0003755065.tif 000003
【図３】
0003755065.tif 000004
【図４】
0003755065.tif 000005